【手続補正書】
【提出日】平成28年11月1日(2016.11.1)
【手続補正１】
【補正対象書類名】明細書
【補正対象項目名】０６７８
【補正方法】変更
【補正の内容】
【０６７８】
さらに、「第１の」、「第２の」、「第３の」などの用語は、明細書または特許請求の範囲のどちらで使用されていても、同様の要素間を区別するために与えられたものであり、必ずしも順次または時間順を記載するために与えられたものではない。そのように使用された用語は、適切な状況において（そうでないと明らかに開示されていない限り）交換可能であり、本明細書に記載された発明の実施形態は、本明細書で記載または図示した以外の順序および／または配置で動作可能である。
本発明の第１の態様は電子患者監視システムであって、
患者に関する情報を受け取り、記憶するように構成された第１のモジュール監視クライアントであって、前記情報が、患者に接続されたデバイスによって測定された前記患者の第１のパラメータに関連するデータ、および前記患者に関する情報を含む第１のデータベースから受け取った前記患者の第２のパラメータに関連するデータを含む、第１のモジュール監視クライアント；および
第２のモジュールに関連付けられたユーザ・インターフェースを介してユーザから治療指示を受け取るように構成された前記第２のモジュールであって、前記第２のモジュールが、前記治療指示を前記第１のモジュールに送信するようにさらに構成され、通信デバイスがユーザ・インターフェースを介してユーザから前記治療指示を受け取り、そして前記治療指示を前記監視クライアントに送信するように構成された、前記第２のモジュール；
を備えており、前記監視クライアントが、以下のことをするようにさらに構成された、電子患者監視システム：
第２のデータベースから、前記治療指示に関連付けられた薬剤または他の薬物に関する薬剤情報であって、前記薬剤情報が前記薬剤が一般的に投与される際の制限事項を提供するデータを含む薬剤情報を得ること；
前記患者の第１のパラメータが所定の範囲外であるかどうか判定すること；
前記第１のパラメータが前記所定の範囲外であると判定される場合は、前記デバイスに、スケジュールされていない読み取りをして前記患者の第３のパラメータを決定することを要求することであって、前記患者の前記第３のパラメータは前記デバイスによって測定され、前記要求は前記第１のパラメータが前記所定の範囲外であるならば実行される、前記要求すること；
前記第１のパラメータが前記所定の範囲外であると判定される場合に、前記第３のパラメータを使用することによって前記第２のパラメータの信憑性を検証すること；
前記治療指示が、前記薬剤情報、前記第１のパラメータの値および前記第２のパラメータの値に基づいて、前記第２のモジュール通信デバイスによって確認されなければならないかどうか判定すること；および
前記ユーザ・インターフェースに表示するために、前記第１のモジュール監視クライアントから前記第２のモジュール通信デバイスに予め決められたメッセージを伝達することであって、前記メッセージが前記薬剤指示の受容性を確認しまたは前記受容性に関して警告するものである、前記伝達すること、
である。
本発明の第２の態様は前記薬剤情報が、薬物相互作用情報、薬物アレルギー情報、血圧作用情報、心拍数作用情報、心調律作用情報または呼吸作用情報を含み、前記第１のパラメータまたは前記第２のパラメータが、患者の現在投与されている薬物、知られている薬物アレルギー、現在の血圧、現在の心拍数、現在の心調律、現在の呼吸数または現在の換気量、に関するデータを含む、第１の態様の電子患者監視システムである。
本発明の第３の態様は前記予め決められたメッセージが、指示された薬剤の潜在的な作用に関する警告を含み、前記警告が、前記第１のパラメータに関する測定されたデータ、前記第２のパラメータに関する受信されたデータまたは前記第１のモジュール監視クライアントによって得られた薬剤情報を含む、第２の態様の電子患者監視システムである。
本発明の第４の態様は前記第１のモジュール監視クライアントが、前記予め決められたメッセージが伝達された後で、かつ前記ユーザ・インターフェースからの入力シグナルによって始動された、前記第２のモジュール通信デバイスからの確認シグナルを受信した後に、前記薬物指示または修正された薬物指示が処理されることになるとのシグナルを生成するように構成される、第３の態様の電子患者監視システムである。
本発明の第５の態様は前記第１のパラメータがタイム・スタンプに関連付けられている、第３の態様の電子患者監視システムである。
本発明の第６の態様は前記第３のパラメータがタイム・スタンプに関連付けられている、第３の態様の電子患者監視システムである。
本発明の第７の態様は前記監視クライアントが、前記第１のパラメーターを前記第１のデータベース内に記録し、および前記第１のパラメーターを前記患者に関連付けるようにさらに構成される、第３の態様の電子患者監視システムである。
本発明の第８の態様は前記監視クライアントが、前記患者の前記第１のパラメーターが前記所定の範囲外である場合に、前記第１のパラメーターを前記第１のデータベース内に記録し、および前記第１のパラメーターを前記患者に関連付けるようにさらに構成される、第３の態様の電子患者監視システムである。
本発明の第９の態様は前記監視クライアントが、前記第１および第３のパラメータのうちの少なくとも１つに基づいて、注入ポンプを中断するようにさらに構成される、請求項３に記載の電子患者監視システムである。
本発明の第１０の態様は前記監視クライアントが、前記第１および第３のパラメータのうちの少なくとも１つに基づいて、注入ポンプを調節するようにさらに構成される、第３の態様の電子患者監視システムである。
本発明の第１１の態様は前記監視クライアントが、前記注入ポンプの流量、前記注入ポンプの動作パラメータおよび前記注入ポンプの治療パラメータのうちの１つを調節するように構成される、第１０の態様の電子患者監視システムである。
本発明の第１２の態様は前記監視クライアントがディスプレイを備え、かつ、前記監視クライアントが、前記ディスプレイの外縁に患者介護デバイスの状態の表示を示すように構成される、第３の態様の電子患者監視システムである。
本発明の第１３の態様は前記監視クライアントがディスプレイを備え、かつ、前記監視クライアントが、前記ディスプレイの外縁に患者介護デバイスの進行度の表示を示すように構成される、第３の態様の電子患者監視システムである。
本発明の第１４の態様は前記進行度の表示が、前記外縁の、ある割合をライトアップすることによって表示され、前記外縁の前記割合が患者介護デバイスの進行度の割合に対応する、第１３の態様の電子患者監視システムである。
本発明の第１５の態様は監視クライアントであって、
ディスプレイと、前記ディスプレイにつながれた少なくとも１台のプロセッサとを備え、
前記少なくとも１台のプロセッサが以下のことをするように構成された、監視クライアント：
患者に関する情報を受け取り、記憶することであって、前記情報が、前記患者に接続されたデバイスによって測定された前記患者の第１のパラメーターに関連するデータ、および前記患者に関する情報を含む第１のデータベースから受け取った前記患者の第２のパラメーターに関連するデータを含む、患者に関する情報を受け取り、記憶すること；
治療指示を受け取ること；
第２のデータベースから、前記治療指示に関連付けられた薬剤に関する薬剤情報であって、前記薬剤情報が前記薬剤が一般的に投与される際の制限事項を提供するデータを含む前記薬剤情報を得ること；
前記患者の前記第１のパラメータが所定の範囲外であるかどうか判定すること；
前記第１のパラメータが前記所定の範囲外であると判定されるときは、前記デバイスに、スケジュールされていない読み取りをして前記患者の第３のパラメータを決定することを要求することであって、前記患者の前記第３のパラメータは前記デバイスによって測定され、前記要求は前記第１のパラメータが前記所定の範囲外である場合に実行される、
前記要求すること；
前記第１のパラメータが前記所定の範囲外であると判定される場合に、前記第３のパラメータを使用することによって前記第２のパラメータの信憑性を検証すること；
前記治療指示が、通信デバイスによって確認されなければならないかどうか判定すること；および
ユーザ・インターフェースに表示するために、前記監視クライアントから前記通信デバイスに予め決められたメッセージを伝達することであって、前記メッセージが前記治療指示の受容性を確認しまたは前記受容性に関して警告するものである、前記伝達すること、
である。
本発明の第１６の態様は前記プロセッサが、前記第１のパラメーターを前記第１のデータベース内に記録し、
および前記第１のパラメーターを前記患者に関連付けるようにさらに構成される、第１５の態様の監視クライアントである。
本発明の第１７の態様は前記プロセッサが、前記患者の前記第１のパラメーターが前記所定の範囲外であるならば、前記第１のパラメーターを前記第１のデータベース内に記録し、および前記第１のパラメーターを前記患者に関連付けるようにさらに構成される、第１５の態様の監視クライアントである。
本発明の第１８の態様は前記プロセッサが、前記第１および第３のパラメータのうちの少なくとも１つに基づいて、注入ポンプを中断するようにさらに構成される、第１５の態様の監視クライアントである。
本発明の第１９の態様は前記プロセッサが、前記第１および第３のパラメータのうちの少なくとも１つに基づいて、注入ポンプを調節するようにさらに構成される、第１５の態様の監視クライアントである。
本発明の第２０の態様は前記プロセッサが、前記ディスプレイの外縁に患者介護デバイスの状態の表示を示すようにさらに構成される、第１５の態様の監視クライアントである。
本発明の第２１の態様は電子患者介護用のシステムであって、
患者につながれて、前記患者の生理的パラメータを測定するように構成された医用センサー；
前記医用センサーから前記測定された生理的パラメータを動作可能に受け取るように構成され、前記測定された生理的パラメータを通信するように構成された医療デバイス
；および
前記医療デバイスと動作可能に通信するサーバであって、前記測定された生理的パラメータを受け取って、前記サーバの中に記憶するサーバ、
を備える、システムである。
本発明の第２２の態様は第２１の態様のシステムであって、
前記医用センサーが、問合せシグナルを受け取って前記医用センサーに少なくとも部分的に電力を投入するように構成されており；および
前記医療デバイスが、前記医用センサーに問合せて前記測定された生理的パラメータを受け取るように構成された問合せ回路を備えている、
第２１の態様のシステムである。
本発明の第２３の態様は第２１の態様のシステムであって、
前記医用センサーが加速度計を備えており；
前記測定された生理的パラメータが前記患者の動きであり；および
前記医療デバイスが、前記患者の前記動きが動きの所定の閾値を超えない場合にアラームするように構成されている、
第２１の態様のシステムである。
本発明の第２４の態様は前記患者につながれて、前記患者の第２の生理的パラメータを測定するように構成された第２の医用センサーをさらに備えている、第２１の態様のシステムである。
本発明の第２５の態様は第１のパターンが前記測定された生理的パラメータ中に検知され、かつ、第２のパターンが第２の測定された生理的パラメータ中に検知され、前記第１および第２のパターンが所定の時間帯内で生じる場合に、前記医療デバイスが、病状が存在すると判定するように構成される、第２４の態様のシステムである。
本発明の第２６の態様は前記第１および第２のパターンが規模に依存しない、第２５の態様のシステムである。
本発明の第２７の態様はゲートウェイをさらに備え、前記医療デバイスが前記ゲートウェイを通してサーバと通信するように構成される、第２１の態様のシステムである。
本発明の第２８の態様は前記医療デバイスがウェブ・サービスを使用して前記ゲートウェイと通信し、前記医療デバイスが前記ウェブ・サービスのウェブ・クライアントであり、前記ゲートウェイが前記ウェブ・サービスのウェブ・サーバである、第２７の態様のシステムである。
本発明の第２９の態様は前記医療デバイスが、前記ウェブ・サービスを使用して少なくとも１つのウェブ方法を起動するように構成される、第２８の態様のシステムである。
本発明の第３０の態様は前記医療デバイスが、前記ウェブ・サービスを介した少なくとも１つのトランザクション・ベース通信を使用して前記ゲートウェイと通信するように構成される、第２８の態様のシステムである。
本発明の第３１の態様は前記医療デバイスが、前記サーバに、ＤＥＲＳ上書き、ハード・リミット上書き、ソフト・リミット上書きおよび前記医療デバイスの内部エラーの少なくとも１つに対応する継続的な品質上のイベントを伝えるように構成される、第２８の態様のシステムである。
本発明の第３２の態様は電子患者介護用のシステムであって、
ルーティング機能、医療デバイスソフトウェア更新およびウェブ・サービスの少なくとも１つを提供するように構成されたゲートウェイ；および
前記ウェブ・サービスを使用して前記ゲートウェイと動作可能に通信するように構成された医療デバイス
を備える、システムである。
本発明の第３３の態様は前記ゲートウェイが前記ウェブ・サービスのウェブ・サーバであり、前記医療デバイスが前記ウェブ・サービスのクライアントである、第３２の態様のシステムである。
本発明の第３４の態様は前記ウェブ・サービスがトランザクション・ベースのウェブ・サービスである、第３２の態様のシステムである。
本発明の第３５の態様は前記医療デバイスが注入ポンプである、第３２の態様のシステムである。
本発明の第３６の態様は医療デバイスであって、
トランシーバ；および
前記トランシーバとインターフェースで接続されて前記トランシーバを介して通信するように構成された少なくとも１台のプロセッサであって、前記トランシーバと動作可能に通信するウェブ・サービスと通信するように構成された少なくとも１台のプロセッサ、
を備える医療デバイスである。
本発明の第３７の態様は前記医療デバイスが、前記ウェブ・サービスのウェブ・クライアントであるように構成される、第３６の態様のデバイスである。
本発明の第３８の態様は前記ウェブ・サービスがトランザクション・ベースのウェブ・サービスである、第３６の態様のデバイスである。
本発明の第３９の態様は前記医療デバイスが注入ポンプである、第３６の態様のデバイスである。
本発明の第４０の態様は医療デバイスとゲートウェイとの間の通信の方法であって、
前記医療デバイスと前記ゲートウェイとの間に通信を確立する工程；
前記医療デバイスと前記ゲートウェイとの間にウェブ・サービスを確立する工程；
および
前記ウェブ・サービスを使用して前記医療デバイスと前記ゲートウェイとの間で通信する工程、
を含む方法である。
本発明の第４１の態様は前記ゲートウェイが前記ウェブ・サービスのウェブ・サーバである、第４０の態様の方法である。
本発明の第４２の態様は前記医療デバイスが前記ウェブ・サービスのウェブ・クライアントである、第４０の態様の方法である。
本発明の第４３の態様は前記ゲートウェイが前記医療デバイスのためのデータをルーティングし、前記データが前記ウェブ・サービスを使用して前記医療デバイスと前記ゲートウェイとの間で通信される、第４０の態様の方法である。
本発明の第４４の態様は電子患者介護用のシステムであって、
患者につながれて前記患者の第１の生理的パラメータを測定するように構成された第１の医用センサー；
前記患者につながれて前記患者の第２の生理的パラメータを測定するように構成された第２の医用センサー；および
前記第１および第２の医用センサーから前記測定された第１および第２の生理的パラメータを動作可能に受け取るように構成された医療デバイスであって、
前記第１の測定された生理的パラメータを使用して第１のパターンを検知する；
前記第２の測定された生理的パラメータをを使用して第２のパターンを検知する；および
前記第１および第２のパターンが互いに対して所定の時間内に検知される場合に、病状が存在すると判定する、
ように構成された医療デバイス、
を備えたシステムである。
本発明の第４５の態様は前記医療デバイスが、前記第１および第２の測定された生理的パラメータの規模を考慮することなく前記第１および第２のパターンを検知するように構成される、第４４の態様のシステムである。
本発明の第４６の態様は前記医療デバイスが、前記第１および第２の測定された生理的パラメータの初期値を考慮することなく前記第１および第２のパターンを検知するように構成される、第４４の態様のシステムである。
本発明の第４７の態様は前記第１のパターンが傾向である、第４４の態様のシステムである。
本発明の第４８の態様は前記医療デバイスが、前記第１の測定された生理的パラメータの初期値を考慮することなく前記第１のパターンを検知するように構成される、第４７の態様のシステムである。
本発明の第４９の態様は前記第２のパターンが第２の傾向である、第４７の態様のシステムである。
本発明の第５０の態様は電子患者介護用のシステムであって、
患者につながれて前記患者の第１の生理的パラメータを測定するように構成された第１の医用センサー；
前記患者につながれて前記患者の第２の生理的パラメータを測定するように構成された第２の医用センサー；および
前記第１および第２の医用センサーから前記測定された第１および第２の生理的パラメータを動作可能に受け取り、前記測定された第１および第２の生理的パラメータを通信するように構成された医療デバイス；および
前記医療デバイスと動作可能に通信するサーバであって、
前記第１の測定された生理的パラメータを使用して第１のパターンを検知する；
前記第２の測定された生理的パラメータをを使用して第２のパターンを検知する
；および
前記第１および第２のパターンが互いに対して所定の時間内に検知されるときは、病状が存在すると判定する、
ように構成されたサーバ、
を備えたシステムである。
本発明の第５１の態様は前記サーバが、前記第１および第２の測定された生理的パラメータの規模を考慮することなく前記第１および第２のパターンを検知するように構成される、第５０の態様のシステムである。
本発明の第５２の態様は前記サーバが、前記第１および第２の測定された生理的パラメータの初期値を考慮することなく前記第１および第２のパターンを検知するように構成される、第５０の態様のシステムである。
本発明の第５３の態様は前記第１のパターンが傾向である、第５０の態様のシステムである。
本発明の第５４の態様は前記サーバが、前記第１の測定された生理的パラメータの初期値を考慮することなく前記第１のパターンを検知するように構成される、第５３の態様のシステムである。
本発明の第５５の態様は前記第２のパターンが第２の傾向である、第５３の態様のシステムである。
本発明の第５６の態様はＲＦＩＤタグであって、
問合わせシグナルを受け取るように構成されたアンテナ；
前記問合わせシグナルを整流して、前記ＲＦＩＤタグに電力を供給する整流回路；
前記アンテナを変調して、前記問合わせシグナルを使用して通信するように構成された変調回路；
読み取りメモリ位置および対応する読み取りビット；
書き込みメモリ位置および対応する書き込みビット；
前記整流回路から電力を受け取るように構成されたプロセッサであって、前記対応する読み取りビットが真に設定される場合は前記読み取りメモリ位置に関連付けられたプロセスを行なうように構成され、かつ、前記対応する書き込みビットが真に設定される場合は前記書き込みメモリ位置に関連付けられたプロセスを行なうように構成されたプロセッサ；および
前記プロセッサと動作可能に通信する測定コンポーネントであって、少なくとも１つの生理的パラメータを測定する測定コンポーネント、
を備えたＲＦＩＤタグである。
本発明の第５７の態様はシステムであって、
誤薬低減システム内へのインターフェース；および
前記誤薬低減システムの薬剤エントリーのフィールドを編集するように構成されたフィールド・エディタであって、所定値が前記フィールドに入力される場合、新しいフィールドに入力することをユーザに促すように構成されたフィールド・エディタ、
を備えたシステムである。
本発明の第５８の態様は誤薬低減編集システムであって、
誤薬低減システム内へのインターフェース；および
前記誤薬低減システムの薬剤エントリーのフィールドを編集するように構成されたフィールド・エディタであって、所定値が前記フィールドに入力される場合、新しいフィールドに入力するようにユーザに促すフィールド・エディタ、
を備えたシステムである。
本発明の第５９の態様は前記フィールドの前記所定値が所定の介護エリアである、請求項５８に記載されたシステムである。
本発明の第６０の態様はシステムであって、
誤薬低減システム内へのインターフェース； 
継続的品質改善システム内へのインターフェース；および
前記誤薬低減システムの薬剤エントリーのフィールドを編集するように構成されたフィールド・エディタであって、前記継続的品質改善システム内のデータを使用して、前記フィールドに対応する情報をユーザに通知するように構成されたフィールド・エディタ、
を備えたシステムである。
本発明の第６１の態様は前記通知が、前記フィールドに入力された値が介護人によって上書きされる前記割合である、請求項６０に記載されたシステム。
本発明の第６２の態様は前記通知が、前記継続的品質改善システムを使用して判断された前記フィールドに最も一般的に入力される、前記フィールドに入力されるべき値の示唆である、第６０の態様のシステムである。
本発明の第６３の態様はシステムであって、
誤薬低減システム内へのインターフェース；および
前記誤薬低減システムの薬剤エントリーのフィールドを編集するように構成されたフィールド・エディタであって、ユーザが前記フィールドに所定の値を入力しようとする場合に、標準化された値を入力すべきと示唆するように構成されたフィールド・エディタ、
を備えたシステムである。
本発明の第６４の態様はシステムであって、
誤薬低減システム内へのインターフェースとなるように構成された第１のインターフェース；
継続的品質改善システム内へのインターフェースとなるように構成された第２のインターフェース；および
前記第１のインターフェースを使用して前記誤薬低減システムの薬剤エントリーのフィールドを編集するように構成されたフィールド・エディタであって、前記第２のインターフェースを使用して前記フィールドに対応する前記継続的品質改善システムからのデータをユーザに提供するように構成されたフィールド・エディタ、
を備えたシステムである。
本発明の第６５の態様はシステムであって、
誤薬低減システム内へのインターフェース；および
前記インターフェースを使用して前記誤薬低減システムの薬剤エントリーのフィールドを編集するように構成されたフィールド・エディタであって、前記フィールドが注入動作過程の終点であるフィールド・エディタ、
を備えたシステムである。
本発明の第６６の態様はシステムであって、
誤薬低減システム内へのインターフェース；および
前記インターフェースを使用して前記誤薬低減システムの薬剤エントリーのフィールドを編集するように構成されたフィールド・エディタであって、前記フィールドが、前記薬剤を送達する医療デバイスの誤動作にも関わらず、前記薬剤が送達されるべきとの表示であるフィールド・エディタ、
を備えたシステムである。
本発明の第６７の態様はシステムであって、
誤薬低減システム内へのインターフェース； 
前記インターフェースを使用して前記誤薬低減システムの薬剤エントリーのフィールドを編集するように構成されたフィールド・エディタ；および
前記誤薬低減システムの薬剤エントリーの前記編集されたフィールドを使用して、医療デバイスをシミュレートするように構成された医療デバイスシミュレータ、
を備えたシステムである。